(57)【要約】【課題】  レール部材を容易に交換することができるキッチン用フロアキャビネットを提供する。【解決手段】  キッチン用フロアキャビネット１は、キャビネット本体２の上部前面に設けられる左右方向に延在するレール部材３と、このレール部材３にスライド可能に係合するスライド部材４とを備えている。前記レール部材３を、キャビネット本体２の上部前面に固定するレール固定部３１と、このレール固定部３１に着脱可能に固定するレール部３２とで構成した。【選択図】      図２
2006198302.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、
前記レール部材を、前記キャビネット本体の上部前面に固定するレール固定部と、このレール固定部に着脱可能に固定するレール部とで構成したことを特徴とするキッチン用フロアキャビネット。
【請求項２】
前記レール固定部の前面に凹部を形成して、この凹部に前記レール部を前方から着脱可能に嵌め込むようにしたことを特徴とする請求項１に記載のキッチン用フロアキャビネット。
【請求項３】
前記レール固定部の奥側端部に、前記キャビネット本体に形成した凹部に嵌め込み可能な張出部を形成したことを特徴とする請求項２に記載のキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【特許文献１】特開平６−７３７６７号公報
【発明の開示】
【発明が解決しようとする課題】
【０００５】
このようなレール部材は、一般的に接着剤を用いてキャビネット本体に接着した上でビスによってネジ止めすることによりキャビネット本体に固定されるため、スライド部材のスライドによってレール部材に磨耗が生じたとしてもレール部材をキャビネット本体から取外して交換することは困難である。
【０００６】
そこで、レール部材を容易に交換できるようにすることが望まれている。
【０００７】
本発明は、このような要望に鑑み、レール部材を容易に交換することができるキッチン用フロアキャビネットを提供することを目的とする。
【課題を解決するための手段】
【０００８】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記レール部材を、前記キャビネット本体の上部前面に固定するレール固定部と、このレール固定部に着脱可能に固定するレール部とで構成したことを特徴とするものである。
【０００９】
また、前記レール固定部の前面に凹部を形成して、この凹部に前記レール部を前方から着脱可能に嵌め込むようにすることが好ましい。
【００１０】
さらに、前記レール固定部の奥側端部に、前記キャビネット本体に形成した凹部に嵌め込み可能な張出部を形成することが好ましい。
【発明の効果】
【００１１】
本発明によれば、レール部材をレール固定部とレール部とで構成したから、レール部に磨耗が生じたとしても、レール部をレール固定部から取外して容易に交換することができる。
【発明を実施するための最良の形態】
【００１２】
以下、本発明を実施するための最良の形態について、図面を参照しながら詳細に説明する。
【００１３】
図１及び図２に示すように、本発明の一実施形態に係るキッチン用フロアキャビネット１は、キャビネット本体２と、このキャビネット本体２の上部前面に設けられ、左右方向に延在するレール部材３と、このレール部材３にスライド可能に係合するスライド部材４とを備えている。
【００１４】
前記キャビネット本体２は、略直方体の形状をなしており、人造大理石等で構成されるカウンター２１と、カウンター２１を支持する箱体２４と、箱体２４に前後方向にスライド可能に収容される複数の引出し２５とを有している。
【００１５】
前記カウンター２１には、調理器（図示せず）やシンク２２が組み込まれているとともに、カラン２３が取付けられている。このカウンター２１の手前側端部は、箱体２４の前面２４ａよりも手前側（図２では左側）に突出しており、収容状態での引出し２５の前壁を上方から覆うことが可能となっている。また、カウンター２１の下面２１ａと箱体２４の手前側上端部との間には、所定寸法の隙間ｔが設けられており、この隙間ｔに左右方向に延びるブロック体２６がその前面２６ａが箱体２４の前面２４ａよりも少し手前側に張り出した状態で嵌め込まれている。
【００１６】
前記レール部材３は、カウンター２１の下面２１ａとブロック体２６の前面２６ａとで挟まれるコーナー部に配設されており、キャビネット本体２の上部前面に固定されるレール固定部３１と、このレール固定部３１に着脱可能に固定されるレール部３２とを有している。このレール固定部３１及びレール部３２の具体的な構成については後述する。
【００１７】
前記レール部３２には、当該レール部３２の前面から奥側（図２では右側）に延びるとともに、奥側で斜め上方に立ち上がる側面視で略Ｌ字状の係合溝３２ａが形成されている。
【００１８】
前記スライド部材４は、左右方向に延びる中空板状の本体部４１と、この本体部４１の奥側端部に連設され、レール部材３のレール部３２の係合溝３２ａに嵌り込んで係合する係合部４２とを有している。
【００１９】
前記係合部４２は、本体部４１の奥側端部からさらに奥側に延びるとともに、奥側で斜め上方に立ち上がる側面視で略Ｌ字状に形成されており、図２の矢印ａのようにスライド部材４の手前側端部を持ち上げて、スライド部材４をやや前倒した状態とすればレール部材３のレール部３２の係合溝３２ａに前方から挿入可能となり、係合部４２を係合溝３２ａに挿入した後にスライド部材４を後倒操作すれば当該係合部４２の上端部が係合溝３２ａの立上り部分に係合するようになっている。
【００２０】
また、スライド部材４には、使用者が肘を置いたり、タオルを掛けたりするためのバー５が設けられている。このバー５は、円形断面で左右方向に延びており、スライド部材４の本体部４１の左右両端部に連設された左右一対の側壁４３に挟まれて固定されている。なお、前記一対の側壁４３は、本体部４１の上面の中央から少し手前寄りの位置に突設されたリブ４４によって相互に連結されて補強されている。
【００２１】
次に、前記レール固定部３１及びレール部３２の具体的な構成について説明する。
【００２２】
レール固定部３１は、前面に奥側に窪む凹部３１ｄが形成され、側面視で略コ字状をなしている。具体的には、レール固定部３１は、上下方向に延びる垂直部３１ａと、この垂直部３１ａの上端部から手前側に延びる水平部３１ｂと、垂直部３１ａの下端部から手前側に延びる水平部３１ｃとを有しており、垂直部３１ａの前面と、水平部３１ｂの下面と、水平部３１ｃの上面とで前記凹部３１ｄが構成されている。
【００２３】
前記垂直部３１ａは、背面３１ｇが前記ブロック体２６の前面２６ａと前記箱体２４の前面２４ａの両方に当接可能となるように下部が奥側に突出する段付形状に形成されている。また、垂直部３１ａの下部には、前後方向に貫通する貫通孔３１ｅが設けられており、この貫通孔３１ｅに垂直部固定用のタッピングネジＳ１が挿通可能となっている。
【００２４】
前記上側の水平部３１ｂの上面は、前記カウンター２１の下面２１ａに当接するようになっている。
【００２５】
前記下側の水平部３１ｃには、上下方向に貫通する貫通孔３１ｆが設けられており、この貫通孔３１ｆにレール部固定用のタッピングネジＳ２が挿通可能となっている。
【００２６】
そして、レール固定部３１は、接着剤によって垂直部３１ａの背面３１ｇを箱体２４の前面２４ａ及びブロック体２６の前面２６ａに接着し、かつ、水平部３１ｂの上面をカウンター２１の下面２１ａに接着するとともに、タッピングネジＳ１を貫通孔３１ｅから箱体２４に螺入して垂直部３１ａを箱体２４にネジ止めすることにより、キャビネット本体２の上部前面に固定されるようになっている。
【００２７】
一方、レール部３２は、レール固定部３１の凹部３１ｄに嵌め込み可能な形状に形成されており、前方から着脱可能となっている。
【００２８】
また、レール部３２の下面の手前側端部には、下方に突出して前記水平部３１ｃを手前側から覆うことが可能な突出部３２ｂが設けられており、美観の向上が図られている。
【００２９】
このレール部３２をレール固定部３１に固定するには、レール部３２をレール固定部３１の凹部３１ｄに嵌め込んだ状態で、レール固定部３１の水平部３１ｃの貫通孔３１ｆからタッピングネジＳ２をレール固定部３１の下部に螺入してネジ止めすればよい。
【００３０】
逆に、レール部３２をレール固定部３１から取外すには、タッピングネジＳ２を緩めて取外し、レール部３２を手前側に引き抜くだけでよい。
【００３１】
以上説明したように、本実施形態のキッチン用フロアキャビネット１では、レール部材３をレール固定部３１と、このレール固定部３１に着脱可能に固定するレール部３２とで構成したから、レール部３２に磨耗が生じたとしても、レール部３２をレール固定部３１から取外して容易に交換することができる。
【００３２】
また、レール部３２をレール固定部３１の凹部３１ｄに嵌め込むようにしたから、スライド部材４に下向きの力がかかり、レール部３２が回動しようとしても、その回動がレール固定部３１の水平部３１ｂ，３１ｃによって抑えられるため、レール部３２がレール固定部３１から脱落することが抑制される。
【００３３】
なお、前述した実施形態では、カウンター２１の下面２１ａと箱体２４の上端部との間の隙間ｔにブロック体２６を嵌め込んだ形態を示したが、図３に示すように、ブロック体２６を省略することによってキャビネット本体２の前面に奥側に窪む凹部２６’を形成し、レール部材３のレール固定部３１の奥側端部に前記凹部２６’に嵌り込み可能な張出部３１ｈを形成してもよい。
【００３４】
このようにすれば、レール固定部３１の上下動及び上下方向の回動を防ぐことができるため、レール固定部３１をより強固にキャビネット本体２に固定することができる。
【００３５】
また、スライド部材４としては、前記実施形態のようにバー５が取付けられたものである必要はなく、例えば、図４に示すように、本体部４１の手前側端部にフック６を取付けたスライド部材４’としてもよい。
【００３６】
または、図５に示すように、本体部４１を上方及び奥側に延びる略Ｌ字状として、この本体部４１の上端部に台板７を前後方向に回動可能に取付けたスライド部材４”とすることも可能である。このようにすれば、台板７を前方回動させたとき（図５の二点鎖線の状態にしたとき）には調理台として使用することができ、後方回動させたとき（図５の実線の状態にしたとき）にはサブカウンターとして使用することができる。
【００３７】
さらに、レール部材３のレール部３２の係合溝３２ａ及びスライド部材４の係合部４１の形状は特に限定されるものではなく、例えば奥側が上下方向に延びる側面視略Ｔ字状等であってもよい。
【図面の簡単な説明】
【００３８】
【図１】本発明の一実施形態に係るキッチン用フロアキャビネットの斜視図である。
【図２】図１のＩＩ−ＩＩ線断面図である。
【図３】他の一実施形態に係るキッチン用フロアキャビネットの断面側面図である。
【図４】他の一実施形態に係るスライド部材の側面図である。
【図５】他の一実施形態に係るスライド部材の側面図である。
【符号の説明】
【００３９】
１  キッチン用フロアキャビネット
２  キャビネット本体
２１  カウンター
２６’  凹部
３  レール部材
３１  レール固定部
３１ａ  垂直部
３１ｂ，３１ｃ  水平部
３１ｄ  凹部
３１ｅ，３１ｆ  貫通孔
３１ｇ  背面
３２  レール部
３２ａ  係合溝
４，４’，４”  スライド部材
４１  本体部
４２  係合部
５  バー
６  フック
７  台板
Ｓ１，Ｓ２  タッピングネジ
【図１】
2006198302.tif 000003
【図２】
2006198302.tif 000004
【図３】
2006198302.tif 000005
【図４】
2006198302.tif 000006
【図５】
2006198302.tif 000007